(57)【特許請求の範囲】
【請求項１】
放送受信装置であって、
視聴制限が施された視聴制限放送を含む放送をチューナにより受信および該放送を復調する機能を有する受信復調部と、
前記視聴制限放送に施された視聴制限を解除するための情報が記録された解除情報記録媒体が、該放送受信装置へ設置されたことおよび該放送受信装置から除去されたことを検出する検出部と、
を備え、
前記受信復調部は、
前記解除情報記録媒体が設置されたことが前記検出部によって検出された場合に、前記解除情報記録媒体に記録された情報に基づく視聴制限の解除、前記視聴制限放送の受信および復調を行い、
前記解除情報記録媒体が除去されたことが前記検出部によって検出された場合に、視聴制限が施されていない放送の受信および復調を行う、
放送受信装置。
【請求項２】
前記検出部は、
前記受信復調部と前記解除情報記録媒体との間の通信状態が正常である場合に、前記解除情報記録媒体が設置されたことを検出し、
前記受信復調部と前記解除情報記録媒体との間の通信状態が正常でない場合に、前記解除情報記録媒体が除去されたことを検出する、
請求項１に記載の放送受信装置。
【請求項３】
前記受信復調部は、前記検出部によって前記解除情報記録媒体の設置または除去が検出されたことを受けて放送の受信および復調が行われるときに、該検出の時点で受信されていた放送のサイマル放送が行われているチャンネルに前記チューナを設定して受信および復調する、
請求項１または２に記載の放送受信装置。
【請求項４】
視聴制限が施された視聴制限放送を含む放送をチューナにより受信および該放送を復調する機能を有する受信復調部を備えるコンピュータが、
前記視聴制限放送に施された視聴制限を解除するための情報が記録された解除情報記録媒体が、該コンピュータへ設置されたことおよび該コンピュータから除去されたことを検出する検出ステップと、
前記受信復調部に、
前記解除情報記録媒体が設置されたことが前記検出ステップで検出された場合に、前記解除情報記録媒体に記録された情報に基づく視聴制限の解除、前記視聴制限放送の受信および復調を行わせ、
前記解除情報記録媒体が除去されたことが前記検出ステップで検出された場合に、視聴制限が施されていない放送の受信および復調を行わせる、受信復調ステップと、
を実行する放送受信方法。
【請求項５】
視聴制限が施された視聴制限放送を含む放送をチューナにより受信および該放送を復調する機能を有する受信復調手段を備えるコンピュータを、
前記視聴制限放送に施された視聴制限を解除するための情報が記録された解除情報記録媒体が、該コンピュータへ設置されたことおよび該コンピュータから除去されたことを検出する検出手段と、
前記解除情報記録媒体が設置されたことが前記検出手段によって検出された場合に、前記解除情報記録媒体に記録された情報に基づく視聴制限の解除、前記視聴制限放送の受信
および復調を行い、前記解除情報記録媒体が除去されたことが前記検出手段によって検出された場合に、前記チューナを視聴制限が施されていない放送の受信に設定して該放送の復調を行う制御手段と、
として機能させる放送受信プログラム。
【請求項６】
前記検出手段は、
前記受信復調手段と前記解除情報記録媒体との間の通信状態が正常である場合に、前記解除情報記録媒体が設置されたことを検出し、
前記受信復調手段と前記解除情報記録媒体との間の通信状態が正常でない場合に、前記解除情報記録媒体が除去されたことを検出する、
請求項５に記載の放送受信プログラム。
【請求項７】
前記制御手段は、前記検出手段によって前記解除情報記録媒体の設置または除去が検出されたことを受けて放送の受信および復調が行われるときに、該検出の時点で受信されていた放送のサイマル放送が行われているチャンネルに前記チューナを設定する、
請求項５または６に記載の放送受信プログラム。
【発明の詳細な説明】
【技術分野】
【０００１】
本発明は、放送を受信する放送受信装置に関する。
【背景技術】
【０００２】
従来、Ｂ−ＣＡＳカードの挿入状態を判定し、Ｂ−ＣＡＳカードが挿入されていない場合に、受信番組を視聴案内番組に切り替えるデジタル放送受信装置がある（特許文献１を参照）。
また、ライセンスを取得していない視聴者向けに、コンテンツを部分暗号化した部分暗号化コンテンツを生成する技術がある（特許文献２を参照）。
【特許文献１】特開２００５−３０３７５９号公報
【特許文献２】特開２００６−２０３６７１号公報
【発明の開示】
【発明が解決しようとする課題】
【０００３】
従来、１３セグメントを１チャンネルとした地上デジタル放送が行われており、地上デジタル放送として、１チャンネル中の１２セグメントを使用するＨＤ（Ｈｉｇｈ  Ｄｅｆｉｎｉｔｉｏｎ）放送、４セグメントを使用するＳＤ（Ｓｔａｎｄａｒｄ  Ｄｅｆｉｎｉｔｉｏｎ）放送、１セグメントを使用するワンセグメント放送（以下、ワンセグ放送）が行われている。日本国内においては、ＨＤ放送は暗号化によって視聴制限が行われており、ＨＤ放送を視聴するには、この視聴制限を解除するための情報（暗号を解除するための鍵データ）が記録された媒体であるＢ−ＣＡＳ（ＢＳ−Ｃｏｎｄｉｔｉｏｎａｌ  Ａｃｃｅｓｓ  Ｓｙｓｔｅｍ）カードが必要である。また、ＳＤ放送においても、その番組が契約放送である場合には、視聴制限を解除するためにＢ−ＣＡＳカードが必要となる。なお、ワンセグ放送は、視聴制限のための暗号化が行われていないため、視聴のためにＢ−ＣＡＳカードを必要としない。
【０００４】
Ｂ−ＣＡＳカードには契約に関する情報が記録されているために、外出先で放送を視聴したい場合に、携帯可能な再生機器等をＢ−ＣＡＳカードを挿入したまま携帯すると、Ｂ−ＣＡＳカードを紛失する虞や、Ｂ−ＣＡＳカードの盗難に遭う虞がある。また、自宅内で放送を視聴する場合であっても、自宅内の再生機器の数に対して契約済みのＢ−ＣＡＳカードの数が少ないと、ある機器にＢ−ＣＡＳカードを設置して放送の視聴を行っている間は、他の機器で放送が視聴できなくなってしまう。このため、Ｂ−ＣＡＳカードが設置されていない場合でも、代替となる放送を受信することで、放送の視聴が可能なテレビジョン放送受信装置が求められている。
【０００５】
ここで、Ｂ−ＣＡＳカードが設置されていない機器で放送の視聴を行うための方法として、スイッチ等の手動操作によってＨＤ放送とワンセグ放送とを切り替える方法が実用化されているが、この場合、ユーザが明示的に切り替えの設定等を行う必要があり、また、機器の操作に不慣れなユーザの場合、Ｂ−ＣＡＳカードが設置されている状態であるにもかかわらず、ＨＤ放送受信モードへの切替を忘れてしまい、そのままワンセグ放送を視聴してしまう虞がある。
【０００６】
上記した問題に鑑み、ユーザに意識させることなく、視聴制限を解除するための情報が記録された媒体の有無に応じて受信および復調する放送方式を切り替えるテレビジョン放送受信装置を提供することを課題とする。
【課題を解決するための手段】
【０００７】
本装置は、上記課題を解決するために、解除情報記録媒体の設置／除去を検出して、自動的に受信および復調する放送方式を選択することで、ユーザに意識させることなく、視聴制限を解除するための情報が記録された媒体の有無に応じて受信および復調する放送方式を切り替えることを可能にした。
【０００８】
詳細には、本装置は、放送受信装置であって、視聴制限が施された視聴制限放送を含む放送をチューナにより受信および該放送を復調する機能を有する受信復調部と、前記視聴制限放送に施された視聴制限を解除するための情報が記録された解除情報記録媒体が、該放送受信装置へ設置されたことおよび該放送受信装置から除去されたことを検出する検出部と、を備え、前記受信復調部は、前記解除情報記録媒体が設置されたことが前記検出部によって検出された場合に、前記解除情報記録媒体に記録された情報に基づく視聴制限の解除、前記視聴制限放送の受信および復調を行い、前記解除情報記録媒体が除去されたことが前記検出部によって検出された場合に、視聴制限が施されていない放送の受信および復調を行う、放送受信装置である。
【０００９】
ここで、受信復調部は、日本国内のＨＤ放送（地上波デジタルハイビジョン放送）や契約放送等の視聴制限放送と、ワンセグ放送等の視聴制限が施されていない放送との双方を同時にまたは選択して受信および復調可能な受信復調部である。
【００１０】
本装置は、Ｂ−ＣＡＳカード等の解除情報記録媒体の設置／除去を検出する検出部を備え、検出の結果に従って、解除情報記録媒体が設置された場合、即ち視聴制限放送を受信および復調可能な場合には自動的に視聴制限放送を受信および復調し、解除情報記録媒体が除去された場合、即ち視聴制限放送を受信および復調することが困難である場合には自動的に視聴制限が施されていない放送を受信および復調する。
【００１１】
また、前記検出部は、前記受信復調部と前記解除情報記録媒体との間の通信状態が正常である場合に、前記解除情報記録媒体が設置されたことを検出し、前記受信復調部と前記解除情報記録媒体との間の通信状態が正常でない場合に、前記解除情報記録媒体が除去されたことを検出してもよい。
【００１２】
例えば、受信復調部が視聴制限を解除するための情報を解除情報記録媒体から取得するための通信を検出部が監視することで、前記受信復調部と前記解除情報記録媒体との間の通信状態を把握し、解除情報記録媒体の設置／除去を検出することとしてもよい。
【００１３】
但し、検出部による検出の方法は通信状態に基づくものに限られず、その他の物理的または電気的な手段を用いて前記受信復調部と前記解除情報記録媒体との間の通信状態を検出することとしてもよい。
【００１４】
また、前記受信復調部は、前記検出部によって前記解除情報記録媒体の設置または除去が検出されたことを受けて放送の受信および復調が行われるときに、該検出の時点で受信されていた放送のサイマル放送が行われているチャンネルに前記チューナを設定して受信および復調してもよい。
【００１５】
検出部による検出の結果を受けて放送方式の切替が行われる場合に、検出の時点で受信されていた放送のサイマル放送が行われているチャンネルが選択されて受信および復調されることで、ユーザは、特段の操作を行うことなく、それまでに視聴していた番組の視聴を継続することが可能となる。
【００１６】
更に、本装置で行われる処理は、コンピュータが実行する方法、又はコンピュータに実行させるプログラムとしても提供することが可能である。また、そのようなプログラムを
コンピュータその他の装置、機械等が読み取り可能な記録媒体に記録したものでもよい。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。
【発明の効果】
【００１７】
本装置によって、ユーザに意識させることなく、視聴制限を解除するための情報が記録された媒体の有無に応じて受信および復調する放送方式を切り替えることが可能となる。
【発明を実施するための最良の形態】
【００１８】
本装置である放送受信装置、その装置で行われる処理に関する方法およびプログラムの実施の形態について、図面に基づいて説明する。
【００１９】
図１は、本実施形態におけるテレビジョン放送受信装置を備えるパーソナルコンピュータ１のハードウェア構成の概略を示す図である。パーソナルコンピュータ１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２等の主記憶装置、ＨＤＤ（Ｈａｒｄ  Ｄｉｓｋ  Ｄｒｉｖｅ）１３等の補助記憶装置、ＲＯＭ（Ｒｅａｄ  Ｏｎｌｙ  Ｍｅｍｏｒｙ）１４、受信装置１５、リモコン１８ａ、リモコン操作受信部１８ｂ、ディスプレイ１６等の表示装置、およびキーボード、マウス等の入力装置１７等を有する。また、受信装置１５には、ＨＤ放送等に施された視聴制限を解除するための情報が記録された媒体であるＢ−ＣＡＳカード１９が、カードリーダ（図示は省略する）を介して挿抜可能に設置される。
【００２０】
ＨＤＤ１３には、システムを管理するためのオペレーティングシステム（以下、ＯＳ）、パーソナルコンピュータ１が有するかまたはパーソナルコンピュータ１に接続されたデバイスを制御するためのデバイスドライバ、およびパーソナルコンピュータ１において起動されるテレビアプリケーション等がインストールされている。
【００２１】
リモコン１８ａは、所謂赤外線方式のリモコン１８ａであり、対応するリモコン操作受信部１８ｂは、リモコン１８ａより発信された赤外線を受信することで、リモコン１８ａにおける操作内容を受け付ける。また、リモコン１８ａは、専らテレビアプリケーションの起動や呼出に用いられるテレビボタンを有する。ユーザは、このテレビボタンを押下することで、テレビアプリケーションの起動や、バックグラウンドで起動しているテレビアプリケーションの呼出、パーソナルコンピュータ１の節電状態からの復帰、ディスプレイ１６の節電状態からの復帰等を行うことが出来る。
【００２２】
受信装置１５は、アンテナ１５ａ、チューナ１５ｂ、および復調器１５ｃを有し、デバイスドライバを実行するＣＰＵ１１によって制御される。受信装置１５は、アンテナ１５ａを用いて放送波を受信し、チューナ１５ｂを用いてチャンネルを選択する。そして、受信装置１５は、復調器１５ｃを用いてチャンネルの放送波に基づいた復調処理および圧縮動画データストリーム（本実施形態では、ＴＳ信号）の生成処理を行う。生成されたＴＳ信号は、バスを介して出力される。テレビアプリケーションを実行するＣＰＵ１１は、受信装置１５より出力されたＴＳ信号に基づいて、動画を構成する各フレームのピクチャを生成する（デコード処理）。そして、生成されたピクチャに基づく映像信号がディスプレイ１６へ出力され、ディスプレイ１６が映像信号に基づく映像を表示することで、ユーザはテレビ放送を視聴することが可能となる。
【００２３】
なお、本実施形態における受信装置１５は、デジタル放送のうち、ＨＤ放送、ＳＤ放送、ワンセグ放送の何れにも対応可能な復調器１５ｃを備え、テレビアプリケーションは、ＨＤ放送、ＳＤ放送、ワンセグ放送の何れにも対応可能なデコードプログラムを含む。但
し、パーソナルコンピュータ１がこれらの異なる方式の放送に対応するための構成は、放送の方式ごとに異なるハードウェアまたはソフトウェアを用いて構成されていてもよい。
【００２４】
図２は、本実施形態におけるテレビジョン放送受信装置を備えるパーソナルコンピュータ１の機能構成の概略を示す図である。図１に示したハードウェア構成を有するパーソナルコンピュータ１は、ＨＤＤ１３上にインストールされたＯＳ、デバイスドライバ、およびテレビアプリケーションをＣＰＵ１１が読み出してＲＡＭ１２に展開し、展開されたプログラムを解釈および実行するＣＰＵ１１によってパーソナルコンピュータ１に備えられた各構成が制御されることで、後述する受信復調部２１と、検出部２２と、デコード部２３と、表示部２４と、を備えるテレビジョン放送受信装置として機能する。但し、上記各機能部は、夫々個別に、または複数の機能部をまとめて、専用のハードウェアによって実現されてもよい。
【００２５】
受信復調部２１は、放送を受信して復調する機能を有し、本実施形態では、構成としてデバイスドライバによって制御される受信装置１５を含む。また、受信復調部２１は、Ｂ−ＣＡＳカード１９に記録された情報に基づいて、ＨＤ放送等にかけられた視聴制限を解除する機能を有する。
【００２６】
検出部２２は、受信復調部２１とＢ−ＣＡＳカード１９との間の通信状態に基づいて、テレビジョン放送受信装置におけるＢ−ＣＡＳカード１９の挿抜を検出する。なお、本実施形態において、検出部２２は、復調器１５ｃが有する機能として提供されるが、その他の方法で提供されてもよい。
【００２７】
デコード部２３は、受信復調部２１によって復調されたＴＳ信号に基づいて、動画を構成するピクチャを生成する。本実施形態において、デコード部２３は、テレビアプリケーションに含まれるデコードプログラムをＣＰＵ１１が実行することによって実現される。
【００２８】
表示部２４は、デコード部２３によって生成されたピクチャに基づいて映像信号を生成し、この映像信号に従って映像を表示する。本実施形態において、表示部２４は、構成として映像信号生成部（図示は省略する）およびディスプレイ１６を含む。
【００２９】
図３は、本実施形態における放送方式の切替処理の流れを示すフローチャートである。本フローチャートに示された処理は、テレビアプリケーションの起動と同時に実行される。
【００３０】
ステップＳ１０１では、受信復調部２１とＢ−ＣＡＳカード１９との間の通信状態が判定される。検出部２２は、受信復調部２１が視聴制限を解除に用いる情報をＢ−ＣＡＳカード１９から取得するためにＢ−ＣＡＳカード１９との間で行う通信の通信状態を監視し、取得された通信結果に基づいて、Ｂ−ＣＡＳカード１９との通信が可能であるか否かを判定する。Ｂ−ＣＡＳカード１９との通信が正常に行われた場合、検出部２２は、Ｂ−ＣＡＳカード１９との通信が可能であると判定する。また、Ｂ−ＣＡＳカード１９からの応答が無い等、Ｂ−ＣＡＳカード１９との通信が異常終了した場合、検出部２２は、Ｂ−ＣＡＳカード１９との通信が不可能であると判定する。Ｂ−ＣＡＳカード１９との通信が可能であると判定された場合、処理はステップＳ１０２へ進む。Ｂ−ＣＡＳカード１９との通信が不可能であると判定された場合、処理はステップＳ１０５へ進む。
【００３１】
ステップＳ１０２では、ＨＤ放送が受信され、再生される。受信復調部２１は、１２セグメントを利用したＨＤ放送を受信し、復調処理、ＴＳ信号の生成処理等の各処理を行い、ＴＳ信号を出力する。また、受信復調部２１は、Ｂ−ＣＡＳカード１９に記録された情報に基づいて、ＨＤ放送等にかけられた視聴制限を解除する。受信復調部２１より出力さ
れたＴＳ信号は、デコード部２３によってデコード処理され、デコード処理によって生成されたピクチャに基づいて表示部２４が映像信号を生成し、映像を表示することで、テレビジョン放送の再生が行われる。その後、処理はステップＳ１０３へ進む。
【００３２】
ステップＳ１０３では、受信復調部２１とＢ−ＣＡＳカード１９との通信状態が判定される。判定処理の詳細は、ステップＳ１０１における判定処理と概略同様であるため、説明を省略する。Ｂ−ＣＡＳカード１９との通信が可能であると判定された場合、処理はステップＳ１０２へ進む。即ち、Ｂ−ＣＡＳカード１９との通信が可能である場合、ＨＤ放送の受信および再生が継続される。Ｂ−ＣＡＳカード１９との通信が不可能であると判定された場合、処理はステップＳ１０４へ進む。
【００３３】
ステップＳ１０４では、ＨＤ放送の受信および再生から、ワンセグ放送の受信および再生への切替が行われる。受信復調部２１は、受信および復調する放送方式を、ＨＤ放送からワンセグ放送へ切り替える。即ち、ステップＳ１０３およびステップＳ１０４に示す処理では、受信復調部２１は、通信状態に基づいてＢ−ＣＡＳカード１９がパーソナルコンピュータ１に挿入されているか否かを判断し、Ｂ−ＣＡＳカード１９がパーソナルコンピュータ１に挿入されていないと判断された場合に、ＨＤ放送に代えてワンセグ放送を受信および再生するように、設定の変更を行う。その後、処理はステップＳ１０５へ進む。
【００３４】
ステップＳ１０５では、ワンセグ放送が受信され、再生される。放送波を受信して復調およびＴＳ信号の生成を行い、更にピクチャ生成を行って映像信号を出力する一連の処理の流れは、ステップＳ１０２で説明したＨＤ放送の受信および再生と概略同様であるため、説明を省略する。その後、処理はステップＳ１０６へ進む。
【００３５】
ステップＳ１０６では、Ｂ−ＣＡＳカード１９との通信状態が判定される。判定処理の詳細は、ステップＳ１０１における判定処理と概略同様であるため、説明を省略する。Ｂ−ＣＡＳカード１９との通信が可能であると判定された場合、処理はステップＳ１０７へ進む。Ｂ−ＣＡＳカード１９との通信が不可能であると判定された場合、処理はステップＳ１０５へ進む。即ち、Ｂ−ＣＡＳカード１９との通信が不可能である場合、ワンセグ放送の受信および再生が継続される。
【００３６】
ステップＳ１０７では、ワンセグ放送の受信および再生から、ＨＤ放送の受信および再生への切替が行われる。受信復調部２１は、受信および復調する放送方式を、ワンセグ放送からＨＤ放送へ切り替える。即ち、ステップＳ１０６およびステップＳ１０７に示す処理では、受信復調部２１は、通信状態に基づいてＢ−ＣＡＳカード１９が再びパーソナルコンピュータ１に挿入されたか否かを判断し、Ｂ−ＣＡＳカード１９が再びパーソナルコンピュータ１に挿入されたと判断された場合に、受信および再生される放送をワンセグ放送からＨＤ放送へ再び切り替える。その後、処理はステップＳ１０２へ進む。
【００３７】
本実施形態に拠れば、ユーザは、特段の操作を行うことなく、Ｂ−ＣＡＳカード１９の挿抜の状態に応じて、テレビジョン放送受信装置を、ＨＤ放送受信装置またはワンセグ放送受信装置として使用することが出来る。また、視聴途中にＢ−ＣＡＳカード１９の挿抜があった場合にも、特段の操作を行うことなく、放送の視聴を継続することが可能となる。
【００３８】
また、本実施形態に係るテレビジョン放送受信装置は、Ｂ−ＣＡＳカード１９が挿入されていない場合、自動的にワンセグ放送受信装置として機能するため、テレビジョン放送受信装置を携帯する場合に、必ずしもＢ−ＣＡＳカード１９を併せて携帯する必要がない。
【００３９】
なお、上に説明した切替処理では、Ｂ−ＣＡＳカード１９に対する通信の状態に基づいてＢ−ＣＡＳカード１９の挿抜状態を検出するが、Ｂ−ＣＡＳカード１９の挿抜状態は、その他の方法を用いて検出されてもよい。例えば、Ｂ−ＣＡＳカード１９が挿入された場合に所定の位置へ移動することで物理的にＢ−ＣＡＳカード１９の挿入を検出する構成が採用されてもよいし、Ｂ−ＣＡＳカード１９とＢ−ＣＡＳカード挿入部との間の電気的な導通状態によって電気的にＢ−ＣＡＳカード１９の挿入を検出する構成が採用されてもよい。Ｂ−ＣＡＳカード１９の挿抜状態を検出する方法は、実施の形態に応じて適宜最適なものが採用されることが好ましい。
【００４０】
＜その他の実施形態＞
図４は、本実施形態における放送方式の切替処理における切替先のチャンネルを決定する処理の流れを示すフローチャートである。本フローチャートに示された処理は、図３のフローチャートに示された処理のうち、ステップＳ１０４に示されたＨＤ放送からワンセグ放送への切替処理、またはステップＳ１０７に示されたワンセグ放送からＨＤ放送への切替処理に伴って実行される。
【００４１】
ステップＳ２０１では、サイマル放送の有無が判定される。サイマル放送とは、ある番組が、同時刻に異なる放送方式で放送されることをいい、例えば、ＨＤ放送で放送されている番組と同じ番組が、ワンセグ放送でも放送されることをいう。一般的に、デジタル放送におけるサイマル放送は、同一のチャンネル内で、１２セグメントを割り当てられたＨＤ放送と、残りの１セグメントを割り当てられたワンセグ放送と、において同じ番組を放送することで行われている。ＣＰＵ１１は、検出部２２によってＢ−ＣＡＳカード１９の挿抜が検出された時点（ステップＳ１０３またはステップＳ１０６）で、パーソナルコンピュータ１で再生されている番組のサイマル放送を行っている、他方式の放送（現在受信されている放送と異なる方式の放送）が有るか否かを判定する。サイマル放送が有ると判定された場合、処理はステップＳ２０２へ進む。サイマル放送が無いと判定された場合、処理はステップＳ２０３へ進む。
【００４２】
ステップＳ２０２では、サイマル放送への切替が行われる。ＣＰＵ１１は、ステップＳ２０１でサイマル放送を行っている他方式の放送があると判定されたことを受けて、ステップＳ１０４またはステップＳ１０７における放送方式の切替時に、受信および再生されるチャンネルとして、サイマル放送を行っているチャンネルを設定する。即ち、受信復調部２１は、Ｂ−ＣＡＳカード１９が抜かれる前に受信されていたＨＤ放送／ワンセグ放送のサイマル放送を行っているチャンネルのワンセグ放送／ＨＤ放送を受信する。なお、ここでサイマル放送の有無を判定する方法としては、予めＨＤＤ１３等に保存されたサイマル放送チャンネルの対応テーブル（図示は省略する）を参照する方法や、外部より取得された電子番組表を参照する方法等がある。その後、本フローチャートに示された処理は終了する。
【００４３】
ステップＳ２０３では、チャンネルの選択が行われる。ＣＰＵ１１は、ステップＳ２０１でサイマル放送を行っている他方式の放送が無いと判定されたことを受けて、ステップＳ１０４またはステップＳ１０７における放送方式の切替時に、受信および再生されるチャンネルとして、それまで受信および再生されていた放送のチャンネルと同一チャンネルを設定する。その後、本フローチャートに示された処理は終了する。
【００４４】
但し、ワンセグ放送受信中にＢ−ＣＡＳカード１９の挿入が検出された場合（ステップＳ１０７）は、ＨＤ放送受信中にＢ−ＣＡＳカード１９が抜かれた場合と異なり、現在受信中の放送方式の受信および再生を継続することが可能である。このため、ワンセグ放送受信中にＢ−ＣＡＳカード１９の挿入が検出され、サイマル放送が無い場合には、ワンセグ放送の受信および再生が継続されることとしてもよい。
【００４５】
本フローチャートに示された処理に拠れば、ユーザの視聴中にＢ−ＣＡＳカード１９が挿抜された場合であっても、サイマル放送を行っているチャンネルに切り替わることで、ユーザは、特段の操作を行うことなく、Ｂ−ＣＡＳカード１９が挿抜される前に視聴していた番組の視聴を継続することが出来る。
【００４６】
なお、図４に示した処理では、サイマル放送が行われていない場合に、同一チャンネルの他放送が受信および再生されるが、これに代えて、サイマル放送が行われていない場合に、ユーザに対してチャンネルの選択を促すメッセージを表示し、ユーザにチャンネルを選択させることとしてもよい。図５は、実施形態における、サイマル放送が行われていない場合に、ユーザにチャンネル選択を促すメッセージのイメージを示す図である。また、図６は、実施形態における、放送方式の切替処理における切替後のチャンネルをユーザの選択に基づいて決定する処理の流れを示すフローチャートである。ＣＰＵ１１は、図４のステップＳ２０１に相当する処理（ステップＳ３０１）で、サイマル放送が行われていないと判定された場合に、図５に示すイメージを生成して表示部２４に出力する（ステップＳ３０３）。その後、ＣＰＵ１１は入力装置１７を介してユーザによるチャンネル選択を受け付け（ステップＳ３０４）、選択されたチャンネルを受信復調部２１へ通知することで、ユーザによって選択されたチャンネルで放送の受信および再生を開始する（ステップＳ３０５）。
【図面の簡単な説明】
【００４７】
【図１】実施形態におけるテレビジョン放送受信装置を備えるパーソナルコンピュータのハードウェア構成の概略を示す図である。
【図２】実施形態におけるテレビジョン放送受信装置を備えるパーソナルコンピュータの機能構成の概略を示す図である。
【図３】実施形態における放送方式の切替処理の流れを示すフローチャートである。
【図４】実施形態における放送方式の切替処理における切替先のチャンネルを決定する処理の流れを示すフローチャートである。
【図５】実施形態における、サイマル放送が行われていない場合に、ユーザにチャンネル選択を促すメッセージのイメージを示す図である。
【図６】実施形態における、放送方式の切替処理における切替後のチャンネルをユーザの選択に基づいて決定する処理の流れを示すフローチャートである。
【符号の説明】
【００４８】
１  パーソナルコンピュータ
１１  ＣＰＵ
１２  ＲＡＭ
１３  ＨＤＤ
１５  放送受信装置
１６  ディスプレイ
１７  入力装置
１８ａ  リモコン
１８ｂ  リモコン操作受信部
１９  Ｂ−ＣＡＳカード
２１  受信復調部
２２  検出部
２３  デコード部
２４  表示部
【図１】
0005040502.tif 000002
【図２】
0005040502.tif 000003
【図３】
0005040502.tif 000004
【図４】
0005040502.tif 000005
【図５】
0005040502.tif 000006
【図６】
0005040502.tif 000007